(57)【要約】【課題】動作不良を起こすのを抑制することが可能な照明装置を提供する。【解決手段】この照明装置１０は、光源３が取り付けられるシャーシ１と、シャーシ１に取り付けられ、光源３を駆動するための複数のインバータ基板６と、複数のインバータ基板６を互いに電気的に接続するための導線７とを備えている。そして、導線７は、シャーシ１に一体的に設けられている。【選択図】図２
2008234999.tif 000002
【特許請求の範囲】
【請求項１】
光源が取り付けられるシャーシと、
前記シャーシに取り付けられ、前記光源を駆動するための複数のインバータ基板と、
前記複数のインバータ基板を互いに電気的に接続するための導線とを備え、
前記導線は、前記シャーシに一体的に設けられていることを特徴とする照明装置。
【請求項２】
前記シャーシは、溝部が形成された所定面を有しており、
前記導線は、前記シャーシの所定面に形成された溝部に埋め込まれていることを特徴とする請求項１に記載の照明装置。
【請求項３】
前記インバータ基板は、前記シャーシの溝部に挿入可能な凸状の端子部を有していることを特徴とする請求項２に記載の照明装置。
【請求項４】
前記インバータ基板を前記シャーシの所定面に取り付けることにより、前記インバータ基板の端子部の少なくとも一部が前記シャーシの溝部に挿入されることを特徴とする請求項３に記載の照明装置。
【請求項５】
前記シャーシは、金属板からなり、
前記導線は、絶縁層と導電層とが積層された多層構造体からなることを特徴とする請求項１〜４のいずれかに記載の照明装置。
【発明の詳細な説明】
【技術分野】
【０００１】
この発明は、照明装置に関し、特に、光源を駆動するためのインバータ基板を備えた照明装置に関する。
【背景技術】
【０００２】
従来、光源としての蛍光管を駆動するためのインバータ基板を備えた照明装置が知られている（たとえば、特許文献１参照）。この特許文献１の照明装置は、液晶表示装置の液晶表示パネルを照射することが可能なように構成されている。すなわち、特許文献１の照明装置は、液晶表示装置のバックライトユニットとして用いられる。
【０００３】
また、従来では、液晶表示装置の液晶表示パネルの大型化に対応するために、複数の蛍光管によって光を生成するように構成された照明装置も知られている。このような従来の照明装置では、複数の蛍光管を２つ以上のインバータ基板によって駆動する場合がある。
【０００４】
図４および図５は、上記した従来の照明装置の一例を簡略的に示した平面図および断面図である。なお、図５の断面図は、図４の２００−２００線に沿った断面に対応する。図４および図５を参照して、従来の照明装置１１０では、光を取り出すための開口１０１ａが形成されたバックライトケース１０１の内部に、複数の蛍光管１０２や光学シート１０３などが収納されている。なお、バックライトケース１０１の開口１０１ａは、バックライトケース１０１の前面１０１ｂに形成されている。
【０００５】
また、バックライトケース１０１の前面１０１ｂとは反対側の後面１０１ｃには、２つのインバータ基板１０４が互いに所定の間隔を隔てて取り付けられている。なお、図示しないが、２つのインバータ基板１０４は、それぞれ、蛍光管１０２の一方の端部および他方の端部に電気的に接続されている。
【０００６】
また、２つのインバータ基板１０４は、ケーブル１０５を介して、互いに電気的に接続されている。このように、２つのインバータ基板１０４を互いに電気的に接続することによって、２つのインバータ基板１０４の各々の動作を同期させることが可能となる。
【０００７】
【特許文献１】特開２００５−１３５１０３号公報
【発明の開示】
【発明が解決しようとする課題】
【０００８】
しかしながら、図４および図５に示した従来の照明装置１１０では、照明装置１１０を液晶表示装置（図示せず）に装着する際に、ケーブル１０５が外部部品（図示せず）などに引っ掛かりやすい。このため、照明装置１１０を液晶表示装置（図示せず）に装着する際に、ケーブル１０５が外部部品（図示せず）などに引っ掛かることに起因して、ケーブル１０５の一部が断線するという不都合が発生する。その結果、照明装置１１０が動作不良を起こすという問題点がある。
【０００９】
この発明は、上記のような課題を解決するためになされたものであり、この発明の目的は、動作不良を起こすのを抑制することが可能な照明装置を提供することである。
【課題を解決するための手段】
【００１０】
上記目的を達成するために、この発明の一の局面による照明装置は、光源が取り付けられるシャーシと、シャーシに取り付けられ、光源を駆動するための複数のインバータ基板と、複数のインバータ基板を互いに電気的に接続するための導線とを備えている。そして、導線は、シャーシに一体的に設けられている。
【００１１】
この一の局面による照明装置では、上記のように、導線を用いて、光源を駆動するための複数のインバータ基板を互いに電気的に接続することによって、複数のインバータ基板の各々の動作を同期させることができる。この場合、複数のインバータ基板を互いに電気的に接続するための導線を、光源が取り付けられるシャーシに一体的に設けることによって、導線とシャーシとが密着した状態となるので、導線に外部部品などが引っ掛かるのを抑制することができる。これにより、導線に外部部品などが引っ掛かることに起因して、導線が断線するという不都合が発生するのを抑制することができる。その結果、照明装置が動作不良を起こすのを抑制することができる。
【００１２】
上記一の局面による照明装置において、好ましくは、シャーシは、溝部が形成された所定面を有しており、導線は、シャーシの所定面に形成された溝部に埋め込まれている。このように構成すれば、導線がシャーシの所定面から突出するのを抑制することができる。これにより、導線がシャーシの所定面から突出している場合に比べて、導線に外部部品などが引っ掛かることに起因する導線の断線をより抑制することができる。
【００１３】
この場合、好ましくは、インバータ基板は、シャーシの溝部に挿入可能な凸状の端子部を有している。このように構成すれば、インバータ基板の凸状の端子部の少なくとも一部をシャーシの溝部に挿入することにより、インバータ基板の端子部と導線とを接触させることができる。これにより、シャーシの溝部に導線が埋め込まれていたとしても、容易に、インバータ基板と導線とを電気的に接続することができる。
【００１４】
上記導線が凸状の端子部を有している構成において、好ましくは、インバータ基板をシャーシの所定面に取り付けることにより、インバータ基板の端子部の少なくとも一部がシャーシの溝部に挿入される。このように構成すれば、インバータ基板をシャーシの所定面に取り付けることにより、容易に、インバータ基板の端子部と導線とを接触させることができる。
【００１５】
上記一の局面による照明装置において、好ましくは、シャーシは、金属板からなり、導線は、絶縁層と導電層とが積層された多層構造体からなる。このように構成すれば、シャーシを構成する金属板上に、絶縁層および導電層の順で形成することにより、シャーシ（金属板）を介して短絡するのを抑制することができる。
【発明の効果】
【００１６】
以上のように、本発明によれば、動作不良を起こすのを抑制することが可能な照明装置を容易に得ることができる。
【発明を実施するための最良の形態】
【００１７】
図１は、本発明の一実施形態による照明装置の構造を説明するための分解斜視図である。図２は、図１に示した一実施形態による照明装置の平面図（照明装置を後側から見た場合の図）である。図３は、図２の１００−１００線に沿った断面図である。まず、図１〜図３を参照して、本実施形態による照明装置の構造について説明する。なお、本実施形態による照明装置は、大型液晶テレビのバックライトユニットとして用いられる。
【００１８】
本実施形態の照明装置１０では、図１に示すように、シャーシ１の前面１ａ側に、反射シート２、光源３、光学シート４およびフレーム５が配置されているとともに、シャーシ１の後面１ｂ側に、インバータ基板６が配置されている。なお、以下の説明では、シャーシ１の長手方向をＡ方向と言うとともに、シャーシ１の短手方向をＢ方向と言う。
【００１９】
シャーシ１は、約１ｍｍ〜約３ｍｍの厚みを有する金属板によって構成されている。このシャーシ１を構成する金属板は、たとえば、アルミニウム板などからなる。また、シャーシ１は、金属板が前側に向かって垂直に折り曲げられることによって形成された一対の側部を有している。そして、反射シート２、光源３および光学シート４は、シャーシ１の一対の側部間の領域に保持されている。
【００２０】
反射シート２は、光を乱反射させることが可能なシート部材によって構成されているとともに、シャーシ１の前面１ａの直上に載置されている。この反射シート２を構成するシート部材は、たとえば、ＰＥＴ（ポリエチレンテレフタレート）樹脂などからなる。
【００２１】
光源３は、直管型の複数の冷陰極管３１によって構成されているとともに、反射シート２の前側に配置されている。すなわち、光源３を構成する複数の冷陰極管３１は、その後側の部分が反射シート２によって覆われている。これにより、光源３で生成された光は、反射シート２によって乱反射されて前側に進行することになる。
【００２２】
また、複数の冷陰極管３１は、その各々がＡ方向に沿って延びるように配置されているとともに、Ｂ方向に沿って互いに所定の間隔を隔てて配列されている。なお、図示しないが、冷陰極管３１は、その一方の端部および他方の端部の各々に１つずつ設けられた放電用電極を有している。
【００２３】
また、冷陰極管３１の一方の端部および他方の端部の各々には、冷陰極管３１を保持するためのホルダ３２が装着されている。このホルダ３２は、たとえば、弾性変形可能な樹脂成形品などによって構成されている。そして、冷陰極管３１に装着されたホルダ３２がシャーシ１に取り付けられることによって、冷陰極管３１がシャーシ１に対して固定される。
【００２４】
なお、図示しないが、シャーシ１のＡ方向の一方の端部１ｃおよび他方の端部１ｄには、それぞれ、ホルダ３２と係合可能な係合部が所定数ずつ形成されている。そして、冷陰極管３１に装着されたホルダ３２は、シャーシ１の係合部に係止されている。すなわち、シャーシ１の一方の端部１ｃおよび他方の端部１ｄに、それぞれ、冷陰極管３１の一方の端部および他方の端部が固定されている。
【００２５】
また、冷陰極管３１の一方の端部および他方の端部の各々の前側には、冷陰極管３１の端部を覆う一対のカバー部材３３が設けられている。このカバー部材３３は、たとえば、樹脂成形品などによって構成されている。そして、冷陰極管３１の一方の端部および他方の端部の各々は、カバー部材３３により前側から押え付けられることにより、前側に浮き上がらないように保持されている。
【００２６】
光学シート４は、レンズシートや拡散シートなどによって構成されているとともに、光源３の前側に配置されている。この光学シート４によって、光源３で生成された光の集光や拡散などが行われる。
【００２７】
フレーム５は、枠状に形成されているとともに、光学シート４の前側に配置されている。このフレーム５は、たとえば、金属板や樹脂成形品などによって構成されている。そして、光学シート４などは、フレーム５により前側から押え付けられることにより、前側に浮き上がらないように保持されている。また、光源３で生成された光が光学シート４を透過すると、その光は、枠状に形成されたフレーム５の開口５ａを介して外部（前側）に出射される。
【００２８】
なお、図示しないが、本実施形態の照明装置１０を液晶テレビのバックライトユニットとして用いる場合には、フレーム５の前側に液晶パネルが設置される。
【００２９】
また、シャーシ１の後面１ｂ側に配置されたインバータ基板６は、光源３（冷陰極管３１）に対して電力を供給することによって光源３（冷陰極管３１）を駆動する機能を有している。このインバータ基板６は、シャーシ１の一方の端部１ｃおよび他方の端部１ｄの各々に１つずつ配置されているとともに、シャーシ１の後面１ｂに取り付けられている。なお、図示しないが、一方のインバータ基板６は、冷陰極管３１の一方の端部に設けられた放電用電極に電気的に接続されているとともに、他方のインバータ基板６は、冷陰極管３１の他方の端部に設けられた放電用電極に電気的に接続されている。
【００３０】
そして、２つのインバータ基板６は、２つのインバータ基板６の各々の動作を同期させることが可能なように、互いに電気的に接続されている。以下に、２つのインバータ基板６の接続方法を詳細に説明する。
【００３１】
本実施形態では、図２および図３に示すように、シャーシ１の後面１ｂに一体的に設けられた導線７によって、２つのインバータ基板６が互いに電気的に接続されている。具体的には、本実施形態では、シャーシ１の後面（所定面）１ｂに、複数の凹状の溝部１ｅが形成されている。このシャーシ１の複数の溝部１ｅは、その各々がＡ方向に沿って延びるように形成されているとともに、Ｂ方向に互いに所定の間隔を隔てて配列されている。そして、シャーシ１の複数の溝部１ｅの各々に、２つのインバータ基板６を互いに電気的に接続するための導線７が１つずつ埋め込まれている。
【００３２】
シャーシ１の溝部１ｅに埋め込まれた導線７は、シャーシ１の溝部１ｅの凹面上に形成された絶縁層７ａと、その絶縁層７ａ上に形成された導電層７ｂとを含んでいる。すなわち、導線７は、絶縁層７ａと導電層７ｂとが積層された多層構造体からなる。この導線７に含まれる絶縁層７ａによって、シャーシ（金属板）１との間の電気的な絶縁が行われ、導線７に含まれる導電層７ｂによって、電気信号の伝達が行われる。なお、導線７に含まれる絶縁層７ａは、たとえば、絶縁性を有するシート部材などによって構成されている。また、導線７に含まれる導電層７ｂは、たとえば、導電率が高い金属箔（たとえば、銅箔）などによって構成されている。
【００３３】
また、本実施形態のインバータ基板６は、導線７に電気的に接続される端子部６ａを有している。このインバータ基板６の端子部６ａは、シャーシ１の後面１ｂにインバータ基板６を取り付けたときに、その一部がシャーシ１の溝部１ｅに挿入されるように構成されている。具体的には、インバータ基板６の端子部６ａは、シャーシ１の後面１ｂ側に向かって突出するように凸状に形成されている。なお、インバータ基板６の端子部６ａは、たとえば、半田ボールなどによって構成されている。
【００３４】
上記のように構成すれば、インバータ基板６をシャーシ１の後面１ｂに取り付けることにより、シャーシ１の溝部１ｅにインバータ基板６の端子部６ａの一部が挿入されるので、インバータ基板６の端子部６ａの一部が導線７（導電層７ｂ）に接触する。すなわち、インバータ基板６の端子部６ａと導線７（導電層７ｂ）とが電気的に接続された状態にすることができる。これにより、シャーシ１の溝部１ｅに埋め込まれた導線７を介して、２つのインバータ基板６が互いに電気的に接続される。
【００３５】
本実施形態では、上記のように、導線７を用いて、２つのインバータ基板６を互いに電気的に接続することによって、２つのインバータ基板６の各々の動作を同期させることができる。この場合、導線７をシャーシ１の後面１ｂに一体的に設けることによって、導線７とシャーシ１とが密着した状態となるので、導線７に外部部品（図示せず）などが引っ掛かるのを抑制することができる。これにより、導線７に外部部品（図示せず）などが引っ掛かることに起因して、導線７が断線するという不都合が発生するのを抑制することができる。その結果、照明装置１０が動作不良を起こすのを抑制することができる。
【００３６】
また、本実施形態では、上記のように、シャーシ１の後面１ｂに溝部１ｅを形成するとともに、そのシャーシ１の溝部１ｅに導線７を埋め込むことによって、導線７がシャーシ１の後面１ｂから突出するのを抑制することができる。これにより、導線７がシャーシ１の後面１ｂから突出している場合に比べて、導線７に外部部品（図示せず）などが引っ掛かることに起因する導線７の断線をより抑制することができる。
【００３７】
また、本実施形態では、上記のように、インバータ基板６に、シャーシ１の溝部１ｅに挿入可能な凸状の端子部６ａを設けることによって、インバータ基板６の凸状の端子部６ａの一部をシャーシ１の溝部１ｅに挿入することにより、インバータ基板６の端子部６ａと導線７（導電層７ｂ）とを接触させることができる。これにより、シャーシ１の溝部１ｅに導線７が埋め込まれていたとしても、容易に、インバータ基板６と導線７とを電気的に接続することができる。
【００３８】
この場合、シャーシ１の後面１ｂにインバータ基板６を取り付けたときに、インバータ基板６の端子部６ａの一部がシャーシ１の溝部１ｅに挿入されるように構成することによって、インバータ基板６をシャーシ１の後面１ｂに取り付けることにより、容易に、インバータ基板６の端子部６ａと導線７（導電層７ｂ）とを接触させることができる。
【００３９】
また、本実施形態では、上記のように、絶縁層７ａと導電層７ｂとが積層された多層構造体からなる導線７を用いることによって、シャーシ（金属板）１を介して短絡するのを抑制することができる。
【００４０】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４１】
たとえば、上記実施形態では、シャーシの後面に、導線が埋め込まれる溝部を形成するようにしたが、本発明はこれに限らず、シャーシの後面に溝部を形成しなくてもよい。ただし、この場合には、シャーシの後面から導線が突出した状態となるので、導線が外部部品などに引っ掛かりやすくなる。したがって、上記実施形態のように、シャーシの後面に溝部を形成し、そのシャーシの溝部に導線を埋め込むようにするのが好ましい。
【００４２】
また、上記実施形態では、２つのインバータ基板を備えた照明装置に本発明を適用する例について説明したが、本発明はこれに限らず、３つ以上のインバータ基板を備えた照明装置にも適用可能である。
【００４３】
また、上記実施形態では、液晶テレビに装着される照明装置に本発明を適用する例について説明したが、本発明はこれに限らず、液晶テレビ以外の装置に装着される照明装置にも適用可能である。
【図面の簡単な説明】
【００４４】
【図１】本発明の一実施形態による照明装置の構造を説明するための分解斜視図である。
【図２】図１に示した一実施形態による照明装置の平面図（照明装置を後側から見た場合の図）である。
【図３】図２の１００−１００線に沿った断面図である。
【図４】従来の照明装置の一例を簡略的に示した平面図である。
【図５】従来の照明装置の一例を簡略的に示した断面図である（図４の２００−２００線に沿った断面に対応する図）。
【符号の説明】
【００４５】
１  シャーシ
１ｂ  後面（所定面）
１ｅ  溝部
３  光源
６  インバータ基板
６ａ  端子部
７  導線
７ａ  絶縁層
７ｂ  導電層
【図１】
2008234999.tif 000003
【図２】
2008234999.tif 000004
【図３】
2008234999.tif 000005
【図４】
2008234999.tif 000006
【図５】
2008234999.tif 000007